(57)【特許請求の範囲】
【請求項１】
フレキシブルプリント配線板が挿入されるハウジングと、該ハウジング内に挿入される前記フレキシブルプリント配線板の導体パターンに接触可能な接点部を有する複数のコンタクトと、前記ハウジング内において前記導体パターンと前記接点部とを圧接させるように前記フレキシブルプリント配線板の厚み方向に前記フレキシブルプリント配線板を押圧する位置と押圧しない位置との間で前記ハウジングに対して起伏自在としたレバーとを備えたコネクタであって、
前記ハウジングは、前記フレキシブルプリント配線板の先端縁から離間し前記フレキシブルプリント配線板の幅方向に突設されている突設部を係止することにより前記フレキシブルプリント配線板を仮保持可能な係止部を備え、該係止部よりも前記ハウジング内の奥側における内側壁が前記先端縁と当接し前記フレキシブルプリント配線板の前記ハウジング内の奥側への挿入につれ前記導体パターンと前記接点部との位置ずれを小さくさせる傾斜面を有し、当該傾斜面は前記ハウジング内で前記フレキシブルプリント配線板の先端が当接する壁面である位置決定面から前記フレキシブルプリント配線板の挿抜方向の前記係止部側に離間した位置に存在することを特徴とするコネクタ。
【請求項２】
前記内側壁は、前記導体パターンと前記接点部とが圧接する位置に前記フレキシブルプリント配線板を誘い込むまで、前記突設部と前記内側壁とを干渉させない前記傾斜面を有することを特徴とする請求項１に記載のコネクタ。
【発明の詳細な説明】
【技術分野】
【０００１】
本発明は、フレキシブルプリント配線板が接続されるコネクタに関する。
【背景技術】
【０００２】
従来から携帯電話、デジタルスチルカメラやノートパソコンなど各種の電子機器において、電子機器内の回路同士などを、柔軟性を持ったフレキシブルプリント配線板を用いて電気的に接続させることが行われている。フレキシブルプリント配線板は、フレキシブルプリント配線板が挿抜可能なコネクタを介して回路などと電気的に接続される。
【０００３】
この種のコネクタとして、たとえば、図９および図１０に示すように、フラットケーブル１５０が挿入されるフラットケーブル用コネクタ１００が知られている（たとえば、特許文献１）。
【０００４】
ここで、フラットケーブル用コネクタ１００は、ハウジング１１０を備えている。また、フラットケーブル用コネクタ１００は、ハウジング１１０に取り付けられると共に、挿入されたフラットケーブル１５０に設けられた導体パターン（図示していない）に接触する第１コンタクト１３１ａおよび第２コンタクト１３１ｂを備えている。フラットケーブル用コネクタ１００は、フラットケーブル１５０を挿入可能な開位置（図９（ａ）を参照）とフラットケーブル１５０を押圧する閉位置（図９（ｂ）を参照）との間を回動可能に取り付けられたカバーハウジング１２０を備えている。フラットケーブル用コネクタ１００は、カバーハウジング１２０が、略矩形形状のカバー本体１２１を備えている。
【０００５】
フラットケーブル用コネクタ１００では、ハウジング１１０が略矩形形状のハウジング本体１１１と、ハウジング本体１１１の下部から一端部側に延びる下板部１１２とを備えている。また、ハウジング本体１１１には、フラットケーブル１５０を受容するフラットケーブル受容空間１１４が形成されている。フラットケーブル用コネクタ１００は、フラットケーブル受容空間１１４のハウジング本体１１１における両側壁１１１ａの内面に、１対のフラットケーブル位置決め部１１３が内方に向けて突出形成されている。また、フラットケーブル用コネクタ１００は、ハウジング本体１１１の両側壁１１１ａに、１対の金属製のソルダペグ１４０が取り付けられている。各ソルダペグ１４０は、略矩形形状の基板部１４１を備え、基板部１４１は図示しない回路基板上に半田接続されるようになっている。
【０００６】
フラットケーブル用コネクタ１００は、カバーハウジング１２０が閉位置にあるときに、第１コンタクト１３１ａおよび第２コンタクト１３１ｂが、加圧されてフラットケーブル１５０に設けられた導体パターンに接触する。フラットケーブル用コネクタ１００は、カバーハウジング１２０の両端にフラットケーブル１５０の幅よりも大きい内側壁面間隔Ｄ１（図１０（ａ）を参照）で配置された１対の挿入案内部１２６を設けている。また、フラットケーブル用コネクタ１００は、１対の挿入案内部１２６に連続し、かつ、１対の挿入案内部１２６の内側壁面間隔Ｄ１に対して小さくなるような内側壁面間隔を設定した１対のフラットケーブル斜め挿入防止部１２７を設けている。
【０００７】
特許文献１のフラットケーブル用コネクタ１００は、カバーハウジング１２０を開位置から回動（図１０（ｂ）の矢印Ａを参照）させると、フラットケーブル斜め挿入防止部１２７の内側壁面により、斜め挿入されたフラットケーブル１５０の挿入状態を矯正する。これにより、特許文献１に記載のフラットケーブル用コネクタ１００は、フラットケーブル１５０に設けられた導体パターンと第１コンタクト１３１ａおよび第２コンタクト１３１ｂとの位置ずれを防止することができる、としている。
【先行技術文献】
【特許文献】
【０００８】
【特許文献１】特開２００６−３３８９５５号公報
【発明の概要】
【発明が解決しようとする課題】
【０００９】
ところで、フレキシブルプリント配線板には、フレキシブルプリント配線板の先端縁から離間しフレキシブルプリント配線板の幅方向に突設されている突設部を備えたものがある。幅方向に突設されている突設部を備えたフレキシブルプリント配線板が接続されるコネクタは、フレキシブルプリント配線板の突設部を利用してフレキシブルプリント配線板を仮保持することできる。これにより、コネクタは、フレキシブルプリント配線板がコネクタから意図せず脱落することを防止することができる。
【００１０】
ここで、コネクタは、幅方向に突設部が突設されたフレキシブルプリント配線板を接続させる場合、フレキシブルプリント配線板の突設部の分だけフレキシブルプリント配線板の幅方向にコネクタの挿入口を大きくする必要がある。
【００１１】
そのため、コネクタは、フレキシブルプリント配線板の先端をフレキシブルプリント配線板の先端よりも突設部の分だけ大きいコネクタの挿入口に挿入させる場合、フレキシブルプリント配線板の先端側が挿入口に対して幅方向へ位置ずれした状態で挿入される恐れがある。コネクタは、上述の特許文献１のフラットケーブル用コネクタの構造を、突設部を備えたフレキシブルプリント配線板が挿入されるコネクタに応用した場合でも、フレキシブルプリント配線板側とコネクタ側との位置ずれを防止することが難しいという問題がある。
【００１２】
本発明は、上記の点に鑑みて為されたもので、幅方向に突設部が突設されたフレキシブルブルプリント配線板をハウジング内に挿入させ易くすることが可能なコネクタを提供することを目的とする。
【課題を解決するための手段】
【００１３】
本発明のコネクタは、フレキシブルプリント配線板が挿入されるハウジングと、該ハウジング内に挿入される上記フレキシブルプリント配線板の導体パターンに接触可能な接点部を有する複数のコンタクトと、上記ハウジング内において上記導体パターンと上記接点部とを圧接させるように上記フレキシブルプリント配線板の厚み方向に上記フレキシブルプリント配線板を押圧する位置と押圧しない位置との間で上記ハウジングに対して起伏自在としたレバーとを備えたコネクタであって、上記ハウジングは、上記フレキシブルプリント配線板の先端縁から離間し上記フレキシブルプリント配線板の幅方向に突設されている突設部を係止することにより上記フレキシブルプリント配線板を仮保持可能な係止部を備え、該係止部よりも上記ハウジング内の奥側における内側壁が上記先端縁と当接し上記フレキシブルプリント配線板の上記ハウジング内の奥側への挿入につれ上記導体パターンと上記接点部との位置ずれを小さくさせる傾斜面を有し、当該傾斜面は上記ハウジング内で上記フレキシブルプリント配線板の先端が当接する壁面である位置決定面から上記フレキシブルプリント配線板の挿抜方向の上記係止部側に離間した位置に存在することを特徴とする。
【００１４】
このコネクタは、上記内側壁は、上記導体パターンと上記接点部とが圧接する位置に上記フレキシブルプリント配線板を誘い込むまで、上記突設部と上記内側壁とを干渉させない上記傾斜面を有することが好ましい。
【発明の効果】
【００１５】
本発明のコネクタは、幅方向に突設部が突設されたフレキシブルブルプリント配線板をハウジング内に挿入させ易くすることが可能になるという効果を奏する。
【図面の簡単な説明】
【００１６】
【図１】実施形態のコネクタを示す斜視図である。
【図２】同上のコネクタを示す平面説明図である。
【図３】同上のコネクタの要部を示す平面説明図である。
【図４】同上のコネクタの要部を示す別の平面説明図である。
【図５】同上のコネクタの要部を示す斜視図である。
【図６】同上のコネクタを示し、レバーを倒した状態の図１の６Ａ−６Ａにおける断面図である。
【図７】同上のコネクタを示し、レバーを倒した状態の図１の７Ａ−７Ａにおける断面図である。
【図８】同上のコネクタに挿入されるフレキシブルプリント配線板を示す背面図である。
【図９】従来のコネクタを示し、（ａ）はカバーハウジングが開位置にある状態のフラットケーブル用コネクタの部分斜視図、（ｂ）はカバーハウジングが閉位置にある状態のフラットケーブル用コネクタの部分斜視図である。
【図１０】同上のコネクタにおけるカバーハウジングが開位置にあるときにフラットケーブルが斜め挿入された状態を示し、（ａ）は平面概略図、（ｂ）は左側面図である。
【発明を実施するための形態】
【００１７】
以下、本実施形態のコネクタ１０について図１ないし図７に基づいて説明し、コネクタ１０に挿入されるフレキシブルプリント配線板２０について図８に基づいて説明する。
【００１８】
まず、最初に、本実施形態のコネクタ１０に挿抜されるフレキシブルプリント配線板（以下、ＦＰＣともいう）２０について説明する。ＦＰＣ２０は、図８に示すように、ＦＰＣ２０の長さ方向（図８の上下方向）に形成された導体パターン２１がＦＰＣ２０の幅方向（図８の左右方向）に沿って複数設けられている。複数の導体パターン２１は、略等間隔で配列している。導体パターン２１には、ＦＰＣ２０の長さ方向と同じ方向となる挿抜方向の先端側と、ＦＰＣ２０の先端からより離れた位置側とに、導体パターン２１の幅方向の広さを広くした幅広部２２をＦＰＣ２０の幅方向に交互に設けられている。また、導体パターン２１は、先端側の幅広部２２に比べて、先端からより離れた位置側の幅広部２２の方がＦＰＣ２０の挿抜方向における長さ寸法が長くなっている。
【００１９】
また、ＦＰＣ２０は、ＦＰＣ２０の先端縁２０ｂから離間しＦＰＣ２０の幅方向の両側縁から突設する一対の突設部２０ａ，２０ａを備えている。突設部２０ａは、ＦＰＣ２０がコネクタ１０から意図せず脱落することを防止するために利用される。なお、導体パターン２１は、下地がＮｉにより形成されており、Ｎｉ上にＡｕめっきが施されている。
【００２０】
本実施形態のコネクタ１０は、上述のＦＰＣ２０が挿入されるハウジング１を備えている。また、コネクタ１０は、ハウジング１内に挿入されるＦＰＣ２０の導体パターン２１に接触可能な接点部３ａａを有するコンタクト３（図１および図６を参照）を備えている。同様に、コネクタ１０は、ハウジング１内に挿入されるＦＰＣ２０の導体パターン２１に接触可能な接点部４ａａを有するコンタクト４（図１および図７を参照）を備えている。
【００２１】
さらに、コネクタ１０は、ハウジング１内において導体パターン２１と接点部３ａａ，４ａａとを圧接させるようにＦＰＣ２０の厚み方向にＦＰＣ２０を押圧する位置と押圧しない位置との間でハウジング１に対して起伏自在としたレバー５を備えている。なお、コンタクト３の接点部３ａａは、レバー５がＦＰＣ２０を押圧する位置にある場合、ＦＰＣ２０の挿抜方向の先端側に設けている導体パターン２１の幅広部２２と接触可能としている。また、コンタクト４の接点部４ａａは、レバー５がＦＰＣ２０を押圧する位置にある場合、ＦＰＣ２０の挿抜方向の先端からより離れた位置側の幅広部２２と接触可能としている。
【００２２】
本実施形態のコネクタ１０のハウジング１は、ＦＰＣ２０の先端縁２０ｂから離間しＦＰＣ２０の幅方向に突設されている突設部２０ａを係止することによりＦＰＣ２０を仮保持可能な係止部１ｆを備えている。さらに、ハウジング１は、係止部１ｆよりもハウジング１内の奥側における内側壁１ａａがＦＰＣ２０の先端縁２０ｂと当接しＦＰＣ２０のハウジング１内の奥側への挿入につれ導体パターン２１と接点部３ａａ，４ａａとの位置ずれを小さくさせる傾斜面としている。
【００２３】
また、本実施形態のコネクタ１０の内側壁１ａａは、導体パターン２１と接点部３ａａ，４ａａとが圧接する位置にＦＰＣ２０を誘い込むまで、突設部２０ａと内側壁１ａａとを干渉させない上記傾斜面を有している。
【００２４】
より具体的には、本実施形態のコネクタ１０は、ハウジング１と、コンタクト３，４と、レバー５とを主要な構成として備えている。なお、レバー５は、レバー５の長手となる幅方向の両端に突出する突出軸５ｅ，５ｅが、ハウジング１に好適に設けられた一対の保持金具２，２における軸受部２ａに各別に載置されている。
【００２５】
本実施形態のコネクタ１０に用いられるハウジング１は、電気絶縁性を有する合成樹脂の成形品からなっている。ハウジング１は、ＦＰＣ２０が挿抜可能なように、全体として角筒状に形成されている。ハウジング１は、コネクタ１０が実装される実装基板（図示していない）側となる基壁部１ｂと、基壁部１ｂの両端から突出する一対の側壁部１ｃ，１ｃと、基壁部１ｂ上に基壁部１ｂと略平行に設けられる覆壁部１ｇとを備えている。ハウジング１は、図６や図７に示すように、ＦＰＣ２０の挿抜方向（図６および図７の左右方向）における覆壁部１ｇの一端部側（図６および図７の左側）に挿入口を構成する開口部１ｄが形成されている。コネクタ１０は、開口部１ｄを覆うことができるようにハウジング１にレバー５が配置される。なお、コネクタ１０は、水平な面に配置させた実装基板上にコネクタ１０を実装させた場合、挿抜方向が一水平方向となる。
【００２６】
コネクタ１０は、合成樹脂の成形品を用いてハウジング１を形成させている場合、コネクタ１０の小型化に伴いハウジング１の強度も必要となる。本実施形態のコネクタ１０では、ハウジング１の開口部１ｄの両側端部にレバー５の突出軸５ｅを保持する保持金具２を備えることにより、ハウジング１の強度を向上させている。
【００２７】
ハウジング１は、ハウジング１の内部にコンタクト３，４を収納するコンタクト収納空間１１が形成されている。コンタクト収納空間１１は、ＦＰＣ２０の挿抜方向と直交するハウジング１の幅方向（図１の左右方向）において所定のピッチで設けられた隔壁１２によって複数個の収納室に仕切られている。コンタクト収納空間１１は、各々の収納室ごとにコンタクト３、またはコンタクト４が１個ずつ収納されている。なお、覆壁部１ｇには、ＦＰＣ２０の先端側を当接させ、ＦＰＣ２０がハウジング１の内部の奥側に挿入しすぎないように、ＦＰＣ２０の挿入を規制し位置決めを行う位置決面１ｓ（図６および図７を参照）を備えている。
【００２８】
また、ハウジング１には、コンタクト３をハウジング１に対して一端部側から挿入するための複数の第１孔部１ｃａ（図６を参照）と、コンタクト４を他端部側から挿入するための複数の第２孔部１ｃｂ（図７を参照）とがハウジング１の幅方向に沿って所定の間隔で交互に設けられている。
【００２９】
コンタクト３，４は、たとえば、リン青銅などの弾性および導電性に優れた金属材料により形成され、リン青銅の表面に形成させたＮｉの下地にＡｕのめっきが施されたものを好適に用いている。コンタクト３，４は、ハウジング１の幅方向において、コンタクト３とコンタクト４とが交互に配置されている。本実施形態のコネクタ１０のコンタクト３，４は、導電性を備え、ＦＰＣ２０の主表面に露出した導体パターン２１に弾接する接点部３ａａ，４ａａを有している。以下、コンタクト３は、ハウジング１に配設された状態で、ハウジング１へのＦＰＣ２０の挿抜方向において奥側に位置する第１接点部３ａａを有する第１コンタクト３として説明する。また、コンタクト４は、ハウジング１に配設された状態で、ハウジング１へのＦＰＣ２０の挿抜方向において、第１接点部３ａａよりも手前側に位置する第２接点部４ａａを有する第２コンタクト４として説明する。
【００３０】
第１コンタクト３は、図６に示すように、ハウジング１の覆壁部１ｇと基壁部１ｂとの間に嵌合される基元部３ｄと、基元部３ｄからハウジング１の基壁部１ｂに沿って延出し先端部にストッパ３ｃが形成された支持片３ａを備えている。また、第１コンタクト３は、支持片３ａの中央部よりも若干奥側から分岐し、支持片３ａと略平行にハウジング１の奥側から開口部１ｄ側に延出するコンタクト片３ｂを備えている。すなわち、支持片３ａは、ハウジング１の基壁部１ｂ側に配設され、コンタクト片３ｂはハウジング１の覆壁部１ｇ側に配設される。第１コンタクト３は、基元部３ｄの上側縁に一端部側から他端部側（図６の右側）にかけて順に突出部３ｆおよび第１突起部３ｅが設けられている。第１コンタクト３は、突出部３ｆを覆壁部１ｇの位置決部１ｊと当接させ、第１コンタクト３の挿入を規制する。また、第１コンタクト３は、第１突起部３ｅをハウジング１の覆壁部１ｇに設けた第１窪部１ｅｂに嵌め合わせてハウジング１に固定されている。コンタクト片３ｂには、先端部に第１接点部３ａａが形成されている。また、支持片３ａには、支持片３ａの先端部の下側縁から下向きにストッパ３ｃが突出して形成されており、第１コンタクト３のハウジング１に対する挿入量を規制している。ここで、ストッパ３ｃは、ストッパ３ｃの一部がハウジング１の外底面（基壁部１ｂの下面）よりも若干突出しており、ストッパ３ｃの一部が表面実装用の外部接続端子を兼ねている。言い換えれば、第１コンタクト３は、ハウジング１の基壁部１ｂに設けた切欠部１ｂａからハウジング１の外底面と略同一平面を構成するように、基壁部１ｂの下面から若干突出するストッパ３ｃが設けられている。ストッパ３ｃは、コネクタ１０が実装される実装基板（図示していない）の配線パターンと半田付け可能な外部接続端子として機能する。
【００３１】
次に、第２コンタクト４は、図７に示すように、ハウジング１の覆壁部１ｇと基壁部１ｂとの間に配置されている。第２コンタクト４は、ハウジング１の基壁部１ｂに沿ってハウジング１の奥側の基元部４ｄから延出し先端部に第２接点部４ａａが形成されたコンタクト片４ａを備えている。第２コンタクト４は、基元部４ｄからハウジング１の覆壁部１ｇに沿って開口部１ｄ側に延出しレバー５の枢支軸５ａに係合する断面Ｕ字状の枢支部４ｅが形成された枢支片４ｂを備えている。つまり、コンタクト片４ａは、ハウジング１の基壁部１ｂ側に配設され、枢支片４ｂはハウジング１の覆壁部１ｇ側に配設される。第２コンタクト４は、コンタクト片４ａの基元部４ｄ側の上側縁に第２突起部４ａｂが設けられており、第２突起部４ａｂをハウジング１の中壁部１ｅに設けた第２窪部１ｅａに嵌め合わせることで、ハウジング１に固定されている。また、第２コンタクト４は、基元部４ｄの下側縁から下向きにストッパ４ｃが突出して形成されており、第２コンタクト４のハウジング１に対する挿入量を規制している。ここで、ストッパ４ｃは、ストッパ４ｃの一部がハウジング１の外底面よりも若干突出しており、ストッパ４ｃの一部が表面実装用の外部接続端子を兼ねている。すなわち、第２コンタクト４は、基壁部１ｂの他端部側（図７の右側）には、ハウジング１の基壁部１ｂに設けた切欠部１ｂｂからハウジング１の外底面と略同一平面を構成するように、基壁部１ｂの下面から若干突出するストッパ４ｃが設けられている。ストッパ４ｃは、コネクタ１０が実装される実装基板の配線パターンと半田付け可能な外部接続端子として機能する。
【００３２】
第２コンタクト４のコンタクト片４ａは、弾性変形が可能に形成されており、ＦＰＣ２０が挿入されると弾性変形し、弾性変形に伴う弾力がＦＰＣ２０側に掛かるようになっている。第２コンタクト４の枢支片４ｂは、挿入されるＦＰＣ２０の厚み方向（図７の上下方向）に、先端部の枢支部４ｅが弾性変形を可能となるように形成されている。枢支部４ｅは、第２接点部４ａａよりも他端部側に所定の距離だけ離して配置されている。
【００３３】
コネクタ１０は、第１コンタクト３と第２コンタクト４とをハウジング１に配設した状態で、コンタクト片３ｂとコンタクト片４ａとが交互にハウジング１の幅方向に沿って配置される。コネクタ１０は、第１接点部３ａａが枢支軸５ａから他端部側に所定の第１距離だけ離して配置され、第２接点部４ａａが枢支軸５ａから一端部側に所定の第２距離だけ離して配置されることになる。コネクタ１０は、挿入するＦＰＣ２０に合わせて上述の第１距離と第２距離とを適宜に設定すればよい。つまり、コネクタ１０は、ハウジング１へのＦＰＣ２０の挿抜方向において第１接点部３ａａが奥側に配置され、第２接点部４ａａが手前側に配置される。そして、コネクタ１０は、ＦＰＣ２０がハウジング１に挿入された状態で、ハウジング１の幅方向に配列された複数の第１接点部３ａａおよび第２接点部４ａａが、ＦＰＣ２０の表面に露出しＦＰＣ２０の挿抜方向とは直交する方向に配列された複数の導体パターン２１と接触する。なお、本実施形態のコネクタ１０では、第１接点部３ａａおよび第２接点部４ａａと対応する導体パターン２１とが接触できるように、コネクタ１０に対しＦＰＣ２０の導体パターン２１が形成された面を背面側としてＦＰＣ２０が挿抜される。
【００３４】
レバー５は、合成樹脂で形成されており、ハウジング１の開口部１ｄに配置される。レバー５は、レバー５の幅方向の両端面から突出する突出軸５ｅを備えており、突出軸５ｅがレバー５の回動に伴って回動する。同様に、レバー５は、レバー５の幅方向に沿ってハウジング１側に複数の枢支軸５ａを備えており、枢支軸５ａがレバー５の回動に伴って回動する。レバー５は、突出軸５ｅと枢支軸５ａとを同軸上に形成している。レバー５は、ハウジング１内において導体パターン２１と第１接点部３ａａおよび第２接点部４ａａとを圧接させるように、ＦＰＣ２０の厚み方向にＦＰＣ２０を押圧する位置と押圧しない位置との間でハウジング１に対して起伏自在となるように枢支されている。
【００３５】
レバー５は、第２コンタクト４の枢支部４ｅがレバー５の枢支軸５ａに係合することで枢支されている（図７を参照）。ここで、レバー５は、枢支部４ｅが枢支軸５ａに係合することで、レバー５が枢支部４ｅにより回動自在に支持される。また、レバー５は、枢支軸５ａに第２コンタクト４の枢支部４ｅが係合し、突出軸５ｅが保持金具２の軸受部２ａに載置されることによってハウジング１に対して起伏自在に支持されている。なお、レバー５には、幅方向に沿って第２コンタクト４の枢支部４ｅに対応する位置に貫通孔５ｂが設けられている。そして、レバー５の枢支軸５ａは、レバー５の貫通孔５ｂをレバー５の幅方向に横断するように設けられている。
【００３６】
また、レバー５は、ＦＰＣ２０を第１接点部３ａａおよび第２接点部４ａａ側へ押圧する押圧面５ｃを備えている。レバー５の押圧面５ｃが形成された面とは反対側の外側面には、レバー５がＦＰＣ２０を押圧しない位置にあるときにＦＰＣ２０の表面と略平行となる挿入面５ｄが形成されている。レバー５の挿入面５ｄは、ＦＰＣ２０が挿入される挿入口の一部を構成する。レバー５の挿入面５ｄで構成される挿入口は、レバー５の押圧面５ｃで構成される挿入口よりもＦＰＣ２０の厚み方向の大きさを大きくしている。そのため、第２コンタクト４は、レバー５がＦＰＣ２０を押圧しない位置にあるとき、コンタクト片４ａに弾性変形が生じていない。したがって、コンタクト片４ａの第２接点部４ａａは、レバー５側からＦＰＣ２０が挿抜可能な所定の第１間隔で離れている。同様に、第１コンタクト３は、レバー５がＦＰＣ２０を押圧しない位置にあるとき、コンタクト片３ｂに弾性変形が生じていない。したがって、コンタクト片３ｂの第１接点部３ａａは、レバー５の挿入面５ｄからＦＰＣ２０が挿抜可能な所定の第２間隔で離れている。すなわち、コネクタ１０は、レバー５がＦＰＣ２０を押圧しない位置にある場合、レバー５の挿入面５ｄと第１接点部３ａａとの間およびレバー５側と第２接点部４ａａとの間が、それぞれＦＰＣ２０の厚みよりも大きな離間距離となるように構成している。
【００３７】
コネクタ１０は、ハウジング１内にＦＰＣ２０が挿入され、レバー５をＦＰＣ２０を押圧する位置まで回動させてハウジング１に対してレバー５を伏せた状態にさせると、レバー５の押圧面５ｃがＦＰＣ２０を押圧する。コネクタ１０では、レバー５がＦＰＣ２０の導体パターン２１と第１接点部３ａａおよび第２接点部４ａａとを適度の接圧で圧接させ電気的に接続可能とされる。これによりＦＰＣ２０は、レバー５の押圧面５ｃと第１接点部３ａａおよび第２接点部４ａａとの間に挟持される。コネクタ１０は、ＦＰＣ２０の厚さ分だけ、コンタクト片３ａやコンタクト片４ａが弾性変形し、弾性変形に伴う弾力によって第１接点部３ａａや第２接点部４ａａに適度の接圧が得られるように設計している。
【００３８】
ハウジング１には、ハウジング１の幅方向の両端に設けられた側壁部１ｃ，１ｃの内側に孔部（図示していない）が形成されており、孔部に保持金具２，２が挿入される。ここで、保持金具２は、上部が平坦に形成されており、レバー５の突出軸５ｅを支持する軸受部２ａを構成している。
【００３９】
ところで、コネクタ１０は、孔部とハウジング１の幅方向の内側に隣接する形でハウジング１の奥側に内側壁１ａａ，１ａａが形成されている。ここで、ハウジング１は、内側壁１ａａがＦＰＣ２０の先端縁２０ｂと当接し、ＦＰＣ２０のハウジング１内の奥側への挿入につれ導体パターン２１と、第１接点部３ａａ，第２接点部４ａａとの位置ずれを小さくさせるように案内する上記傾斜面を備えている。また、コネクタ１０は、ハウジング１の開口部１ｄにおける両側壁部１ｃ，１ｃ側に、一対の係止部１ｆ，１ｆが基壁部１ｂから突出して設けられている。
【００４０】
コネクタ１０は、内側壁１ａａおよび係止部１ｆにより、突設部２０ａを収納する収納凹所１ａを構成している。すなわち、コネクタ１０は、収納凹所１ａの係止部１ｆに、ＦＰＣ２０の突設部２０ａが引っ掛かる構造としている。これにより、コネクタ１０は、コネクタ１０の奥行きが小さく小型でありながら、ＦＰＣ２０のハウジング１への挿入時の位置決めやＦＰＣ２０の仮保持が可能となり、より確実なＦＰＣ２０の挿入作業を実現することが可能となる。コネクタ１０は、極めて小型であり、柔らかいＦＰＣ２０をスムーズに挿入することができれば、コネクタ１０への接続作業性を高めることが可能となる。
【００４１】
本実施形態のコネクタ１０は、係止部１ｆよりもハウジング１内の奥側における内側壁１ａａが先端縁２０ｂと当接しＦＰＣ２０のハウジング１内の奥側への挿入につれ導体パターン２１と接点部３ａａ，４ａａとの位置ずれを小さくさせる上記傾斜面を有している。ここで、コネクタ１０は、たとえば、図３に示すように、ＦＰＣ２０における仮想中心線（図３中の一点鎖線を参照）がハウジング１における仮想中心線（図３中の破線を参照）に対して幅方向へＦＰＣ２０が位置ずれして挿入される場合がある。なお、ＦＰＣ２０における仮想中心線は、ＦＰＣ２０の長さ方向に沿って図示している。同様に、ハウジング１における仮想中心線は、ハウジング１におけるＦＰＣ２０の挿抜方向に沿って図示している。しかしながら、本実施形態のコネクタ１０は、図４に示すように、ＦＰＣ２０における仮想中心線（図４中の一点鎖線を参照）がハウジング１における仮想中心線（図４中の破線を参照）と一致する正常な接続させる位置まで内側壁１ａａによりＦＰＣ２０を案内できる。これにより、本実施形態のコネクタ１０は、幅方向に突設部２０ａが突設されたＦＰＣ２０をハウジング１内に挿入させ易くすることが可能となる。すなわち、本実施形態のコネクタ１０は、図２に示すように、ＦＰＣ２０における仮想中心線（図２の一点鎖線を参照）と、ハウジング１における仮想中心線（図２の鎖線を参照）とを、必ずしも正確に一致させるように挿入させる必要がない。
【００４２】
また、本実施形態のコネクタ１０の内側壁１ａａは、導体パターン２１と接点部３ａａ，４ａａとが圧接する位置にＦＰＣ２０を誘い込むまで、突設部２０ａと内側壁１ａａとを干渉させない上記傾斜面を有している。これにより、コネクタ１０は、ＦＰＣ２０の突設部２０ａを収納凹所１ａに、よりスムーズに収納させることが可能となる。
【００４３】
以下、本実施形態のコネクタ１０にＦＰＣ２０を挿抜する際の動作について説明する。
【００４４】
コネクタ１０は、ＦＰＣ２０を接続する前では、図１および図２に示すようにレバー５をハウジング１に対して起こした位置に配してある。これにより、コネクタ１０は、レバー５がＦＰＣ２０を押圧しない位置（以下、非抜止位置ともいう）となっている。
【００４５】
コネクタ１０は、非抜止位置において、ＦＰＣ２０をコネクタ１０に挿入する際の挿入抵抗を小さくでき、柔らかいＦＰＣ２０をコネクタ１０に容易に挿入することが可能としている。コネクタ１０は、レバー５を非抜止位置にさせた状態で、第１コンタクト３の第１接点部３ａａや第２コンタクト４の第２接点部４ａａがＦＰＣ２０と接触するものでもよい。コネクタ１０は、レバー５を非抜止位置にさせた状態でも第１コンタクト３の第１接点部３ａａや第２コンタクト４の第２接点部４ａａがＦＰＣ２０と接触することで、ＦＰＣ２０を挿入すると同時に電気的な接続を確立させることが可能となる。なお、コネクタ１０は、レバー５がＦＰＣ２０を押圧する位置（以下、抜止位置ともいう）にある場合に比べて、コンタクト３，４がＦＰＣ２０を保持する保持力は相対的に小さい状態となっているので、ＦＰＣ２０が相対的に抜けやすい状態となっている。
【００４６】
コネクタ１０は、レバー５を非抜止位置に配置させた状態で、開口部１ｄ側からハウジング１の内部にＦＰＣ２０を挿入すると、ＦＰＣ２０とハウジング１とが幅方向へ位置ずれした状態でも、ＦＰＣ２０の先端が内側壁１ａａに沿ってＦＰＣ２０が案内される。すなわち、コネクタ１０は、収納凹所１ａを構成する内側壁１ａａの上記傾斜面に沿ってＦＰＣ２０が挿入される。コネクタ１０は、ＦＰＣ２０をハウジング１内部に向かうにしたがってＦＰＣ２０の導体パターン２１と、第１接点部３ａａや第２接点部４ａａとの位置ずれを小さくすることができる。
【００４７】
コネクタ１０の内部に挿入されたＦＰＣ２０は、ＦＰＣ２０の先端側がＦＰＣ２０の挿入を規制し位置決めを行う位置決面１ｓに当接する。これによって、コネクタ１０は、コンタクト３，４に対してＦＰＣ２０の挿抜方向におけるＦＰＣ２０の先端側の位置を位置決めすることができる。同時に、ＦＰＣ２０の突設部２０ａは、収納凹所１ａに収納される。
【００４８】
コネクタ１０は、レバー５が抜止位置に回転した状態では、ＦＰＣ２０がコンタクト片３ｂの第１接点部３ａａおよびコンタクト片４ａの第２接点部４ａａに押し付けられる。コネクタ１０は、コンタクト片３ｂの第１接点部３ａａとレバー５の押圧面５ｃとの間にＦＰＣ２０を挟持する。また、コネクタ１０は、コンタクト片４ａの第２接点部４ａａとレバー５の押圧面５ｃとの間にＦＰＣ２０を挟持する。これにより、コネクタ１０は、第１コンタクト３および第２コンタクト４と、ＦＰＣ２０の導体パターン２１とが電気的に接続された状態となる。
【００４９】
一方、コネクタ１０は、レバー５を抜止位置から非抜止位置まで回動させると、レバー５と第１コンタクト３および第２コンタクト４とがＦＰＣ２０を挟持する力が弱くなり、ＦＰＣ２０を引き抜きやすくすることが可能となる。
【符号の説明】
【００５０】
１  ハウジング
１ａａ  内側壁
１ｆ  係止部
３，４  コンタクト
３ａａ，４ａａ  接点部
５  レバー
１０  コネクタ
２０  フレキシブルプリント配線板（ＦＰＣ）
２０ａ  突設部
２０ｂ  先端縁
２１  導体パターン
【図１】
0005899459.tif 000002
【図２】
0005899459.tif 000003
【図３】
0005899459.tif 000004
【図４】
0005899459.tif 000005
【図５】
0005899459.tif 000006
【図６】
0005899459.tif 000007
【図７】
0005899459.tif 000008
【図８】
0005899459.tif 000009
【図９】
0005899459.tif 000010
【図１０】
0005899459.tif 000011